(57)【要約】  楽器本体に固定される補助部品（１８）と、停止位置と振動残留位置の間の補助部品に関連して可動な倍音バー（９）と、倍音バーに備わっており、停止位置と振動残留位置の間の倍音バー（９）に関連して可動するダンパーアーム部品（３１）と、停止位置と共鳴位置の間にある補助部品に関連して動くダンパーバー（１０）とを備える楽器の部品であって、倍音バー（９）がプロファイルドシート板として空洞（２３）を形状するために形成され、ダンパーバー（１０）が空洞壁の中へ引き伸ばされる。【選択図】図３
2012515357.tif 000002
【特許請求の範囲】
【請求項１】
楽器の部品であって、
前記部品は、
楽器本体に固定される補助部品（１８）と、
補助部品に固定されるとともに、停止位置と振動残留位置の間の補助部品に関連して可動な倍音バー（９）と、
各々がそれぞれのダンパー（８）と協調するように改良されている複数のダンパーアーム部品（３１）とを備え、
個々のダンパーアーム部品は、倍音バーに備わっており、停止位置と振動残留位置の間の倍音バー（９）に関連して可動し、
前記部品はさらに、
それぞれのダンパーアーム部品に備えられており、停止位置とエスケープメントポジションの間のダンパーアームに関連して動かすことができる、エスケープメントノーズ（３２）
を備え、
個々のダンパーアーム部品（３１）は、エスケープメントノーズの停止位置にあり、倍音バー（９）と作用するので、停止位置から振動残留位置への倍音バーの動きにより、停止位置から振動残留位置へのダンパーアーム部品（３１）の位置が変わり、
エスケープメントノーズは楽器の個々のキー（５）で作動でき、そのエスケープメント位置に移動し、それによって、ダンパーアーム部品（３１）が振動残留位置にあるときに、エスケープメントノーズのキーの作動により、振動残留位置から停止位置へのダンパーアーム部品の動きが可能になり、
それによって、倍音バー（９）が振動残留位置にあるときには、ダンパーアーム部品を振動残留位置に留めておき、その位置では個々のダンパーは、相当するキーが演奏されない場合、それぞれの弦の振動を弱めず、
倍音バーによって、ダンパーアーム部品は停止位置に戻り、その位置では、相当するキーが離されるとき、振動残留位置にある、キーが作動されていないアーム部品があったとしても、それぞれのダンパーがそれぞれの弦の振動を弱め、
前記部品はさらに、
補助部品（１８）に乗せられ、停止位置と共鳴位置の間にある補助部品に関連して動くダンパーバー（１０）を備え、
ダンパーバーは、ダンパーアーム部品（３１）と協調しているので、停止位置と共鳴位置の間のダンパーバーの移動により、すべてのダンパーアーム部品（３１）は共鳴位置へと移動し、振動残留位置にあるダンパーアーム部品は、自由度に沿って停止位置と共鳴位置の間に介在し、エスケープメントノーズ（３２）に関連したそれぞれのアーム（３１）の位置に関わらず、ダンパー（８）は共鳴位置にあるそれぞれの弦の振動を弱めず、
倍音バー（９）がプロファイルドシート板として空洞（２３）を形状するために形成され、ダンパーアーム部品（３１）と協調させるための倍音部分（２９）を携え、起動部分（２２）が倍音バーの停止位置から振動残留位置への置き換えのためにユーザーの倍音コマンド（１５ｄ）と協調するように改良されており、および、
ダンパーバー（１０）が空洞壁の中へ引き伸ばされる、ことを特徴とする楽器の部品。
【請求項２】
倍音バー（９）の倍音部分（２９）は、倍音バーの停止位置から振動残留位置への動きは、各ダンパーアーム部品（３１）を停止位置から振動残留位置へずらし、各エスケープメントノーズ（３２）と協調するように改良された、ことを特徴とする請求項１に記載の楽器の部品。
【請求項３】
シート板は通り穴があり、ダンパーバー（１０）は、起動部分（２８）を携え、ダンパーバーの停止位置から振動残留位置への置き換えのためにユーザーのダンパーコマンド（１５ｃ）と協調するように改良されており、
ダンパーコマンド（１５ｃ）はシート板の通り穴の中へ引き延ばされる、ことを特徴とする請求項１また２に記載の楽器の部品。
【請求項４】
倍音バー（９）は、補助部品（１８）の回転軸（Ｘ）に対して相対的に回転するように改良されており、
各ダンパーアーム部品（３０）は、前述の倍音バー（９）の回転軸（Ｘ）に対して相対的に回転するように改良されており、
ダンパーバー（１０）は、前述の補助部品（１８）の回転軸（Ｘ）に対して相対的に回転するように改良されている、ことを特徴とする請求項１乃至３のいずれかに記載の楽器の部品。
【請求項５】
シート板はＵ字型側面を持ち、ベース（２２）、一つ目のウィング（２０）、ベースを通して一つ目のウィングに連動し向かい合う二つ目のウィング（２１）を含み、
一つ目のウィングは補助部品に倍音バーを装着するためのマウント部分（２４）から成り、二つ目のウィング（２１）は倍音部分（２９）から成り、ベース（22）は起動部分から成る、ことを特徴とする請求項１乃至４のいずれかに記載の楽器の部品。
【請求項６】
板金プレートは、ねじれに強くたわみ剛性な素材で出来ている、ことを特徴とする請求項１乃至５のいずれかに記載の楽器の部品。
【請求項７】
ダンパーバー（９）は、倍音バー（１０）と同様の素材、プロファイルドシート板で出来ている、ことを特徴とする請求項１乃至６のいずれかに記載の楽器の部品。
【請求項８】
補助部品（１８）に関連した少なくとも一つのダンパーアーム部品（３１）の衝程を制御するために、少なくとも一つのダンパーアーム部品と協調するように改良されたダンパーアバットメント（６７）をさらに備え、
ダンパーバー（１０）に備わっている、ことを特徴とする請求項１乃至７のいずれかに記載の楽器の部品。
【請求項９】
ダンパーバー（１０）あるいは倍音バー（９）の起動部分と協調するように改良された一つ目の端と、楽器のペダル（６ｃ；６ｄ）が協調するように改良された二つ目の端とを含む少なくとも一つの起動装置（１５ｃ；１５ｄ）をさらに含み、
前記二つ目の端は、一つ目と二つ目の端の位置を調整するねじの順応装置（４６，４７）を含む、ことを特徴とする請求項１乃至８のいずれかに記載の楽器の部品。
【請求項１０】
楽器であって、
前記楽器は、
本体と、
本体に固定される前述の補助部品を備えた請求項１乃至９のいずれかに記載の部品と、
複数の弦（３）と、
各々が各弦（３）を鳴らすための複数のキーを含む鍵盤（４）と、を備え、
前述のキーの少なくとも１つは、エスケープメント位置に転置するため、それぞれのエスケープメントノーズ（３２）と向かい合い、
前記楽器はさらに、
前述の倍音バーとダンパーバーが単独作動するために備わっているペダルの制御（６）を、含むことを特徴とする楽器。
【発明の詳細な説明】
【技術分野】
【０００１】
本発明は、楽器用の構成部品と、その部品が施された楽器に関するものである。
【０００２】
グランドピアノのような楽器は、ピアニストがたたくキー（鍵盤）によってハンマーが作動して打弦する。さらに、ダンパーは弦の振動を押さえる為に弦の上で停止しているか、振動を可能にする為に弦から離れ上昇する。ダンパーは様々な方法で作動し、ピアニストの指令（通常ペダル）によって、様々な音響効果をもたらす。
【背景技術】
【０００３】
特許文献１において、グランドピアノが図解されている。ダンパー補助部品によって作動するダンパーは、ダンパーバー、倍音バーもしくは直接キーを通じて可動する。
【０００４】
ペダルが押さえられないと（作動しないと）、押されたキーに準ずるダンパーは弦から離れ上昇し、キーが開放されると弦に戻る。
【０００５】
ダンパーバーが作動すると、全てのダンパーが弦から離れ上昇する。キーを弾く間、ダンパーはその位置を保ち、ダンパーバーが開放されない限り元の位置に戻らない。倍音バーが作動すると、全てのダンパーが弦から離れ上昇する。倍音バーの作動中に特定のキーが弾かれ、そのキーが開放されるとこのキーと対になるダンパーは、弦に戻るという効果がある。
【０００６】
この文書は、楽器に供給される構成部品について、以下にて解説するものである。
−楽器本体に補助部品を固定し、その補助部品に倍音バーを固定し、停止位置と振動残留位置の間の補助部品に関連して可動なものを含む。
−複数のダンパーアーム部品は、それぞれのダンパーと協調するように改良されており、個々のダンパーアーム部品は、補助部品に備わっており、停止位置と振動残留位置の間の補助部品に関連して可動する。
−それぞれのダンパーアーム部品には、エスケープメントノーズが備えられており、停止位置とエスケープメント位置の間のダンパーアームに関連して動かすことができる。
個々のダンパーアーム部品は、エスケープメントノーズの停止位置にあり、倍音バーと作用するので、停止位置から振動残留位置への倍音バーの動きにより、停止位置から振動残留位置へのダンパーアーム部品の位置が変わる。 
楽器の個々のキーで作動できるエスケープメントノーズは、そのエスケープメント位置に移動する。それによって、ダンパーアーム部品が振動残留位置にあるときに、エスケープメントノーズのキーの作動により、振動残留位置から停止位置へのダンパーアーム部品の動きが可能になる。
またそれによって、倍音バーが振動残留位置にあるときには、ダンパーアーム部品を振動残留位置に留めておく。その位置では個々のダンパーはそれぞれの弦の振動を弱めない。相当するキーが演奏されない場合は、倍音バーによって、ダンパーアーム部品は停止位置に戻る。その位置ではそれぞれのダンパーがそれぞれの弦の振動を弱める。
−相当するキーが離されるとき、振動残留位置にある、キーが作動されていないアーム部品があったとしても、ダンパーバーは補助部品に乗せられ、停止位置と共鳴位置の間にある補助部品に関連して動く。ダンパーバーは、ダンパーアーム部品と協調しているので、停止位置と共鳴位置の間のダンパーバーの移動により、すべてのダンパーアーム部品は共鳴位置へと移動する。振動残留位置にあるダンパーアーム部品は、自由度に沿って停止位置と共鳴位置の間に介在する。エスケープメントノーズに関連したそれぞれのアームの位置に関わらず、ダンパーは共鳴位置にあるそれぞれの弦の振動を弱めない。
【０００７】
このようなメカニズムが十分に満足する物であっても、対応するどんなピアノにも取付が容易で組み込むことが出来る構成部品のニーズが存在する。
本発明品はとりわけこれらのニーズを満たすことを目的としている。
【先行技術文献】
【特許文献】
【０００８】
【特許文献１】ＷＯ９６／２４，１２５
【発明の概要】
【課題を解決するための手段】
【０００９】
本発明においての目的は、楽器に供給される構成部品について、以下にて解説するものである。
−楽器本体に補助部品を固定し、その補助部品に倍音バーを固定し、停止位置と振動残留位置の間の補助部品に関連して可動なものを含む。
−複数のダンパーアーム部品は、それぞれのダンパーと調和するように改良されており、個々のダンパーアーム部品は、倍音バーに備わっており、停止位置と振動残留位置の間の倍音バーに関連して可動する。
−それぞれのダンパーアーム部品には、エスケープメントノーズが備えられており、停止位置とエスケープメント位置の間のダンパーアームに関連して動かすことができる。
個々のダンパーアーム部品は、エスケープメントノーズの停止位置にあり、倍音バーと作用するので、停止位置から振動残留位置への倍音バーの動きにより、停止位置から振動残留位置へのダンパーアーム部品の位置が変わる。
−楽器の個々のキーで作動できるエスケープメントノーズは、そのエスケープメント位置に移動する。それによって、ダンパーアーム部品が振動残留位置にあるときに、エスケープメントノーズのキーの作動により、振動残留位置から停止位置へのダンパーアーム部品の動きが可能になる。またそれによって、倍音バーが振動残留位置にあるときには、ダンパーアーム部品を振動残留位置に留めておく。その位置では個々のダンパーはそれぞれの弦の振動を弱めない。
相当するキーが演奏されない場合は、倍音バーによって、ダンパーアーム部品は停止位置に戻る。その位置ではそれぞれのダンパーがそれぞれの弦の振動を弱める。相当するキーが開放されるとき、振動残留位置にある、キーが作動されていないアーム部品があったとしても、ダンパーバーは補助部品に乗せられ、停止位置と共鳴位置の間にある補助部品に関連して動く。ダンパーバーは、ダンパーアーム部品と協調しているので、停止位置と共鳴位置の間のダンパーバーの移動により、すべてのダンパーアーム部品は共鳴位置へと移動する。
−振動残留位置にあるダンパーアーム部品は、自由度に沿って停止位置と共鳴位置の間に介在する。エスケープメントノーズに関連したそれぞれのアームの位置に関わらず、ダンパーは共鳴位置にあるそれぞれの弦の振動を弱めない。その点においては、倍音バーがプロファイルドシート板として空洞を形状するために形成され、ダンパーアーム部品と協調させるための倍音部分を携え、起動部分は倍音バーの停止位置から振動残留位置への置き換えのためにユーザーの倍音コマンドと協調するように改良されており、
そこでダンパーバーが空洞の中へ引き伸ばされる。
【００１０】
これらの機能により、本部品は容易に製造ができ、寸法が提供される全ての楽器に対しても統合されることが出来る。
【００１１】
いくつかの実施例においては、添付の特許請求の範囲にあるように、１つもしくはそれ以上の機能を応用することが可能である。
【００１２】
なお、本発明品では楽器の部品が供給される。ダンパーアバットメントは、補助部品に関連した少なくとも一つのダンパーアーム部品の衝程を制御するために、少なくとも一つのダンパーアーム部品と協調するように改良されて、ダンパーバーに備わっている。なお、本発明品では楽器の構成部品が供給される。
少なくとも一つの起動装置は、一つ目の端を含み、ダンパーバーあるいは倍音バーの起動部分と協調するように改良されており、さらに、二つ目の端と楽器のペダルが協調するように改良されている。前述の二つ目の端は、一つ目と二つ目の端の位置を調整するねじの調節装置を含む。
【００１３】
本発明では、下記を含むシステムを供給する：
−キャプスタンの調節基軸の回転を通して調節される、グランドピアノの部品に備わっているキャプスタン。
−調整基軸で回転可能な本体と調節部分を含むツールは、グランドピアノの部品に関して、キャプスタンの位置が協調するように改良されている。調節基軸と調整基軸は並行でなく、望ましくは直角にある。
【図面の簡単な説明】
【００１４】
その他、本発明の特徴や長所については、仕様を限定することの無い具体的な図表例にて、確認可能である：
【図１】グランドピアノを例にとり、楽器を部分的に描いた斜視図である。
【図２】図１のグランドピアノに付随し、ペダルの制御指示を出す連結機器を部分的に描いた斜視図である。
【図３】グランドピアノの部品を部分的に描いた側面斜視図である。
【図４】図３の部品を部分的に描いた斜視図である。
【図５ａ】部品の様々な状態を示す、図３に類似する簡易化した側面図である。
【図５ｂ】部品の様々な状態を示す、図３に類似する簡易化した側面図である。
【図５ｃ】部品の様々な状態を示す、図３に類似する簡易化した側面図である。
【図５ｄ】部品の様々な状態を示す、図３に類似する簡易化した側面図である。
【図５ｅ】部品の様々な状態を示す、図３に類似する簡易化した側面図である。
【図５ｆ】部品の様々な状態を示す、図３に類似する簡易化した側面図である。
【図５ｇ】部品の様々な状態を示す、図３に類似する簡易化した側面図である。
【図６】図２の連結機器の側部分的な側断面図である。
【図７】ダンパーバーとダンパーアバットメントを部分的に描いた斜視図である。
【図８ａ】キャプスタン調節器の概略的な側面図である。
【図８ｂ】図８ａのツールの上面図である。
【発明を実施するための形態】
【００１５】
各図解において、同一あるいは類似する部品は、同様の関連図が表示される。
【００１６】
図１は、グランドピアノを例にとり、楽器を部分的に、透視画法で描いた図解である。図１は、並行に弦3が伸びる、ピアノのボディー２の一部分のみを表している図解である。ピアノ１は、棚板４と１つのキー５とペダル制御６から構成されている。このペダル制御は、図解にあるように、６ａ，６ｂ，６ｃ，６ｄの四つのペダルが含まれる。構成部品７は、キー５の作動とペダル６ａ，６ｂ，６ｃ，６ｄのキャプスタンに応じて各弦３の対になるダンパーの転地を制御する為にピアノボディー２に備わっている。図１において、キー５、及び弦３、ダンパー８のみが描かれているが、グランドピアノが並列に配置された複数のキー・弦・ダンパーを含む事は自明である。いくつかの弦はダンパーとの関連性がない場合がある。
【００１７】
添付された例において、最初のペダル６ａは、ボディー２の側面から棚板４を水平方向に数ミリメートル可動させる「シフトペダル」である。このようなペダルの操作方法は周知の通りであり、本発明品の実質的な目的ではない。よって以下では割愛する。
【００１８】
二つ目のペダルである６ｂは、ソステヌートペダルであり、ソステヌートペダルを操作している際に、キー５が押されダンパー８が弦３から離れ上昇する連動を維持する。ソステヌートペダル６ｂの操作が解除された場合のみ、これらのダンパー８は関連性のある弦の元に戻る。このようなソステヌートペダルの操作方法は周知の通りであり、本発明品の実質的な目的ではない。よって以下では割愛する。
【００１９】
三つ目のペダルである６ｃは、いわゆるダンパーペダル（または、フォルテペダル）である。ダンパーペダルの作動により、全てのダンパー８がピアノの弦から離れ上昇する。ダンパー８はダンパーペダルの作動が解除されるまで、元の位置に戻らない。
【００２０】
四つ目のペダルは、いわゆる「倍音ペダル」である。倍音ペダルが作動して、振動残留位置にある場合、全てのダンパー８は弦３から離れ上昇し、押されたキー５の対になるダンパー８のみ、所定の位置に戻る。倍音ペダルが作動している間中、ダンパー作用は持続する。その際、ペダルが振動残留位置に有る場合、キー５が押さえられたか否かに関わらず、すべてのダンパー８は弦から離れ上昇する。
【００２１】
図２で示されているように、構成部品７は、伸ばされたダンパーバー１０（図２にて識別不可、図３参照）と、内部が空洞になっている形状をした倍音バー９から構成される。
【００２２】
各ペダル６ａ，６ｂ，６ｃ，６ｄは、ペダルの制御作動システムの一部である、各制御軸１１ａ，ｌ１ｂ，１１ｃ，１１ｄと連動している。ダンパーペダル６ｃは、制御軸１１ｃを通してダンパーレバー１２ｃと連動している。ピアノ本体に固定する補助部品１３ｃとダンパーレバー１２ｃとは回転軸を介して取り付けられる（図解なし）。
【００２３】
同様に、倍音ペダル６ｄは、制御軸１１ｄ、ピアノ本体に固定される補助部品１３ｄと連動している。ダンパーレバー１２ｃと外側のプレート６２は、本質的に並行に伸びている。
【００２４】
Ｕ字型ブラケット６１は、外側のプレート６２から一体的に下に伸び、倍音スプリング１６ｄの収め場所を形成する。補助部品１３ｄに備わる外側のプレート６２と同様の回転軸で回転する軸受に備わる内側のプレート６３に倍音スプリングの対極が接触する。
【００２５】
なお、側部レバー１４は、ピアノの本体に固定されている補助部品１３ｅと回転軸を介して接合しており、ダンパーレバー１２ｃと倍音レバー１２ｄの外側の板にかけて伸びる。側部レバー１４は、一つ目の端が側部レバー１４に接触し、二つ目の端が空洞内まで伸びダンパーバー１０と接触するダンパー棒１５ｃを備える。したがって、ダンパー棒１５ｃは、倍音バー９の穴７３を通る。
【００２６】
加えて側部レバー１４は、ボディーに有る土台１７と協調するように改良されたダンパースプリング１６ｃを備える。
【００２７】
倍音レバー１２ｄの内側のプレート６３は、一つ目の端が内側のプレート６３に接触し、二つ目の端が倍音バー９と接触する倍音棒１５ｄを備える。
【００２８】
図４に詳細が示されているように、補助部品１８はピアノのボディーに固定されている。ダンパーブラケット１９は、補助部品１８に回転軸Ｘの軸受に対して可動に備わっている一つ目の端を備える。ダンパーブラケット１９の二つ目の端は、ダンパーバー１０に固定、あるいは接している。本例では、ダンパーバーは、板状のプロファイルドプレートが中空で、断面が長方形の本体65はねじれや曲げに強い軽量な金属、例えばＡＵ４Ｇタイプのアルミニウムを使用していると示されている。本例では、側面に沿って、三つの中空の部分が引き伸びる：中間の十字部分に対して左右対称な二つのＴ字部分。これらの中空の部分は、ダンパーバーの機能的な特徴を確保しつつ、重量を減らすことが可能である。さらに厚手の部分は  ねじ山を抜く、および／または、ねじを留める、および／または、他の固定器具を留めるために使用可能である。ダンパーアーム部品との協調のため、本体６５上部は、ダンパーアーム部品との協調のため、例えば平らな長方形の断面をもつフェルトを付随する。
【００２９】
倍音バー９は、回転軸（Ｘ）に対する倍音バー９とダンパーバー１０の単独回転を可能にするように、補助部品１８に接続されている。
【００３０】
図４にて示されるように、倍音バー９は、軽金属からできた、例えばＡＵ４Ｇ−アルミニウムのようにねじれに強くたわみ剛性なプロファイルドシート板から製造される。好都合なことに、倍音バーとダンパーバーは同じ素材から製造されている。倍音バー９は、ベース２２を通して連動し、向かい合う一つ目のウィング２０と二つ目のウィング21によって、通常U字型に製造されている。一つ目のウィング２０、ベース２２そして二つ目のウィング２１は、システムの停止位置において、ダンパーバー１０が伸びる空洞内２３を形成する。倍音バー９の最初のウイング２０は、取付ブラケット台２４に固定される回転軸Ｘを介して、ダンパーブラケット２４とは別に補助部品１８に接続する。一つ目のウィング２０は、相当するダンパーアーム部品（図解なし、図３参照）にブラケット２６を組み込むため複数の据え付け穴２５が備えられている。このブラケット２６は、据え付け穴２５の倍音バー９に固定されている一つ目の端から、それぞれのダンパーアーム部品の受け入れ穴２７を形状する二つ目の端まで引き伸びている。
【００３１】
図２に関連して示されているように、倍音バー９のベース２２のボトムが制御部分を定めており、倍音棒１５ｄを通して倍音ペダル６ｄの制御を伝達する。ベース２２は、ダンパー棒１５ｃが通る（図３参照）穴が備わっているが、ダンパー棒１５ｃは、ダンパーバー１０の作動面２８と協調する。
【００３２】
二つ目のウィング２１は、縁２９により構成されている。この縁２９は、ウィング２１から、例えば側面の長さに合せて外側に伸びている。
【００３３】
図３で示されるように、ダンパーサポート部品３０は、ダンパーアーム部品３１及び、回転軸３３にアーム３１と回転可能に連動した、エスケープメントノーズ３２を含む。アーム３１は、回転軸３４に回転可能な状態でブラケット２６に装着されている。ブラケット２６は、本案の実施形態ではＸ方向に伸び、補助部品１８に対する倍音・ダンパーバーの回転軸と同じである。ダンパーロッド３５は、例えば回転軸３６を介してアーム３１と連動している一つ目の端がある。対極にある二つ目の端は、相当するダンパー８に連動する。
【００３４】
エスケープメントノーズ３２は、キー制御部分３７を持ち、エスケープメントノーズ３２の停止位置において、各キー５相当の制御部分３８に相対する。エスケープメントノーズ３２は、さらに倍音バー作動部分を含む。それは例えば倍音バー９の縁２９に相対する末端３９である。またエスケープメントノーズ３２は、相当するアーム３１の前頭部分４１に隣接している前頭部分４０を含む。
【００３５】
ダンパーアーム部品３１の下部は、ダンパーバー１０と相対する、パイロット４８の下部の制御部分４２を含む。ダンパーバーにおける制御部分４２の正確な位置は、下記図８に引き合いに出されているように、正確に合せることが出来る。
【００３６】
これより、このシステムのキャプスタン方法を図５ａから５ｇに関連して示す。
【００３７】
図５ａは、停止位置にあるシステムを図式的に示す。実質的には、先に示された図３に準ずる。
【００３８】
図５ｂに示されている通り、ペダルが作動していない状態では、キー５の作動は制御部分３８と相当するエスケープメントノーズ３２のキー制御部分３７を接触させる。その際、回転軸３３に関わるアーム３１のエスケープメントノーズ３２の回転が引き起こる。これは、アーム３１の前頭部４１が、エスケープメントノーズの部分４０に接触するまで続く。アーム３１に関連したエスケープメントノーズ３２のさらなる回転が食い止められるのは、図５ｂに示されるよう、キー５の作動がアーム３１の全体の回転と、回転軸３４に関わる倍音バー９に関連したエスケープメントノーズ３２に作用するからである。この回転は、ダンパー棒３５の上昇作動に作用し、相当する弦からダンパーを離す。
【００３９】
キー５が離されると、システムは図５ａの位置に戻る。
【００４０】
倍音ペダル６ｄが、振動残留位置まで作動すると、補助部品１３ｄの倍音レバー１２ｄ（図２）全体の回転に作用し、倍音棒１５ｄを上昇させる。倍音レバー１２ｄの回転運動は、補助部品１３ｅの側部レバー１４の回転にも作用する。その間スプリング１６ｃは圧迫され、さらにダンパー棒１５ｃを上昇させる。図５ｃで示されるように、この位置において倍音バー９（ダンパーバーも同様）は回転軸Ｘから数度回転し、回転軸３３に関わるアーム３１に関連したエスケープメントノーズ３２の回転に作用することなく、縁２９はエスケープメントノーズ３２を押し上げる。図５ｄで示されているように、エスケープメントノーズ３２の上昇作動は、回転軸３４に関わるアーム３１を回転させ振動残留位置への持ち上げに作用する。これは、ダンパー軸３５の上昇作動に作用する。こうして全てのダンパーが弦から離れる。
【００４１】
倍音ペダル６ｄがこの停止位置に留められ、規定のキー５がピアノで弾かれと、制御部分３８がそれぞれのエスケープメントノーズ３２のキー制御部分３７と連動する。それによって回転軸３３に関わるアーム３１に関連したエスケープメントノーズ３２の回転が作用し、倍音バー９の縁２９のエスケープメントノーズ３２の末端３９が離れる。
【００４２】
キー５が離されると、倍音ペダル６ｄが振動残留位置を維持する間、回転軸３４に関わるブラケット２６に関連したダンパーアーム部品３１が、下部の停止位置に回転する。これにより図５ｅに示されるように、ダンパー軸３５が下方に動き、ダンパーが対になる弦に戻る。これは、倍音ペダルが振動残留位置に維持され、キー５が押されたり開放された時に起こる。
【００４３】
その時点で、倍音バーが振動残留位置を維持している場合、相当する鍵盤のキーが押されたり開放されているかによって、いくつかのダンパーアーム部品３１は図形５ｃ、または５ｅのような構成を示す。
【００４４】
この時点で、ピアニストがペダル６ｄを離すと、全てのダンパーアーム部品が停止位置に戻る。
【００４５】
反対にピアニストがペダル６ｄを押し続けると、側部レバー１４の倍音バー１２ｄの外側のプレート６２の更なる回転に作用する。その間、内側のプレート６３はその場に留まり、倍音スプリング１６ｄは、圧迫される。側部レバー１４の上昇作動は、ダンパー棒１５ｃの上昇作動に作用する。図５ｆに示されているように、これは回転軸Ｘに対するダンパー軸１０のさらなる回転に作用する。このため、ダンパー軸１０の制御部分４３が、相当するアーム３１の制御部分４３に踏み込み、図５ｅの位置にあるダンパーアーム部品３０は、回転軸３４に関わるダンパーアーム部品の回転に作用する。この回転は、相当するダンパー軸３５の上昇移程を起こし、相当する弦からダンパーが離れ上昇する。
【００４６】
この時点で、倍音ペダル６ｄが離されると、システムは前述の段階に戻る。
【００４７】
ピアニストが倍音ペダル６ｄを押さえ続けると、倍音軸９の縁２９のエスケープメントノーズの末端３９が、共鳴位置において回転軸３４に関連したアーム３１の回転で外れる。それによって回転軸３３に関連したアーム３１によってエスケープメントノーズ３２の回転が可能となる。同時にこの追加の動作は、図５ｇに描かれるように、押されたり開放されていないキーに関連するダンパーサポート３１を倍音ペダルの振動残留位置から共鳴位置に至らす。つまり、図５ｇの構成は全てのダンパーアーム部品３１及びノーズ３２によって示されており、全てのダンパーは弦から持ち上げられている。回転軸３３の本体３１に相対するエスケープメントノーズ３２の回転なしでキー５を弾くことが出来るが、この構成では、エスケープメントノーズ３２のキー制御部分３７は、相対するキー５の相対する制御部分３８から離れすぎる。
【００４８】
それ故、アーム３１は自由度に沿って停止位置から振動残留位置、さらに共鳴位置に至る。
【００４９】
この構成で倍音ペダル６ｄが離されると、システムは図５ｃの配置に戻り、その後図５ａの配置に戻る。
【００５０】
ピアニストによりダンパーペダル６ｃが押されると、補助部品１３ｃに関連したダンパーレバー１２ｃの回転が引き起こる。ダンパーレバー１２ｃは、補助部品１３ｅに関連する側部レバー１４の回転と倍音棒１５ｃの上昇作動を引き起こすため、側部レバー１４に連動する。ダンパーバー１０は、単独に軸Ｘの周りを回転し、ダンパーアーム部品３１は共鳴位置に至る。
【００５１】
図６は、倍音バー９と倍音レバー１２ｄの詳細図である。図６に示されるように、倍音棒１５ｄは、倍音バー９に固定された、ソケット４５内で回転する、球４４を備えた二つ目の端を含む。
【００５２】
対極の一つ目の端、倍音軸はスリーブ（筒状の管）４６のソケット４５で回転する球44を含む。ジョイント６４、例えば自動潤滑ジョイントは、球とソケットの間に挿入される。このジョイントは、例えばナイロンのようなプラスティックで製造することが出来る。これによってペダル制御の静穏、および／または、永続的稼働を可能にする。スリーブ４６は、ねじリング47と関連する外側のねじ山（本精密度では識別不可）と協調する。リング４７は、レバーの下部と協調することにより、倍音レバー１２ｄのスリーブ４６に固定されるまで、上向きに移動する。
【００５３】
前述の組立て品は、全てのピアノにおいて倍音バー９の簡単な調節を可能にする。ねじリング４７と倍音レバーは、簡単な調節を可能にするため、ピアノのボディーの外側（図解なし）にも配置することが出来る。軸は、ピアノのボディーの適切な穴（７１，７２，図１参照）に伸びる。
【００５４】
この組立品は倍音軸用に説明されたものであるが、ピアノの範囲内で使用されるダンパー軸あるいは他のどの類似する軸も、前述の幾何学（図６）にて示されることを言及する。
【００５５】
さらに図７にて示されるように、他の観点によると、アバットメントバー６７はダンパーバー１０に固定されている。図７において、三つの空洞部分を伴ったダンパーバーの他の実施形態が示されることを言及する。アバットメントバー６７は、コンポーネント７の長さに沿って伸び、フェルトのような軟らかい素材の下側の表面を伴い、ダンパーアーム部品の衝程を制御するよう配置されている。ダンパーバー１０が作用していない場合、ダンパーへの長い衝程を防ぐため、アバットメントバーは低い位置にある。アバットメントバーがダンパーバーに調整統合されダンパーバーが作用されると、ダンパーへの長い衝程が可能となる。このように図５ｇの配置は可能となる。
【００５６】
前述の説明より、前述に説明された部品が、適合するどのピアノにも組み込みを可能にし、容易に製造可能なことが分かる。ダンパーバー、および／または、倍音バーを形成するプロファイルドシート板の相当の長さを製造（打刻か押出加工）するためと、ブラケット２６の受け入れに相当する位置の作りつけ穴２５と、相当するダンパーアーム部品３１を施行するには、ピアノの幅、弦とキーの配置と長さで十分である。コンポーネント７の全ての要素は、これによって標準化することが可能である。前述の部品は、ペダル制御と連結機器を含んでも含まなくても、ピアノに固定され、精密に調節可能である。
【００５７】
例えば、ピアノの分野においては、例えば図３における参考４８で示されるような「キャプスタン」を利用される事は良くある周知の事実である。このキャプスタンは、機械的な部分の相対的・幾何学的配置を微妙に修正することが出来る微妙な調節装置である。キャプスタンは例えば、倍音バー１０と連動するダンパーアーム部品の下部、キーの端、弦をたたくハンマー（図解なし）のエスケープメント等に備えられる。
【００５８】
本発明を異なる視点で見ると、このようなキャプスタンは、ねじ山に連動した一つ目の端（図３のアーム３１にねじこまれた端）の軸と、円筒形の歯車から製造された、前述の実施形態に調節部分を携えたヘッド４９に固定された二つ目の端を含む。キャプスタン４８の配置の微調整に対応するツール５０は、図８ａ及び図８ｂにて示される。図８ａで示されるように、このツールは、キャビネット５７と一体化したハンドル５１を含み、内部には、設定回転軸６０に沿って伸びる回転軸５２を備える。軸５２の一つの端は、インデックス付きの作動ボタン５３と連動し、もう一つの端はハンドル５１と一体化する軸受５５に支持された無窮ねじ５４を含む。キャプスタン４８は、無窮５４の回転軸に直角に調節旋回軸５８のキャビネット５７を旋回するように固定されている。キャプスタンの歯車部分４９は、ツールのキャプスタン受け入れ場所５９に挿入されている。ユーザーによる回転軸６０のボタン５３の回転により、無窮ねじ５４の回転が連動し、キャプスタンは回転し、調節軸５８に沿って、受け入れ部品の内又は外にねじ込まれる。並行でなく例えば直角な設定・調節軸のおかげで、キャプスタンは容易に設定可能である。ピアノの他の隣接する部分にダメージを与えずに、キャプスタンの位置をツールの限られた動作で可能である。
【００５９】
前述のキャプスタンと関連するツールは、図１から図７で示された通り、ピアノにおいて用可能。しかしあらゆる適切なピアノにも利用可能である。
【図１】
2012515357.tif 000003
【図２】
2012515357.tif 000004
【図３】
2012515357.tif 000005
【図４】
2012515357.tif 000006
【図５ａ】
2012515357.tif 000007
【図５ｂ】
2012515357.tif 000008
【図５ｃ】
2012515357.tif 000009
【図５ｄ】
2012515357.tif 000010
【図５ｅ】
2012515357.tif 000011
【図５ｆ】
2012515357.tif 000012
【図５ｇ】
2012515357.tif 000013
【図６】
2012515357.tif 000014
【図７】
2012515357.tif 000015
【図８ａ】
2012515357.tif 000016
【図８ｂ】
2012515357.tif 000017
【国際調査報告】
2012515357.tif 000018
2012515357.tif 000019